(57)【要約】【課題】本発明は、肥効に優れるばかりではなく、肥料としての取り扱いを著しく容易にし得るところの、消石灰と糖蜜又は廃糖蜜とから得られる粒状の糖蜜固形化肥料、及び、該粒状の糖蜜固形化肥料を製造する方法を提供する。また、本発明の糖蜜固形化肥料は、サトウキビから原料糖を製造する工程等において発生する副産物としての廃糖蜜を固形化して得られる故、原料糖を製造する工程等の操業中の廃糖蜜の貯蔵問題を効果的に解決し得る。【解決手段】本発明は、消石灰１００質量部と、糖蜜又は廃糖蜜（固形分）１４０〜２５０質量部とを混合して得られる粒状の糖蜜固形化肥料、及び、消石灰１００質量部に、糖蜜又は廃糖蜜（固形分）１４０〜２５０質量部を加えて混合し、少なくとも、該混合物の粘度が略一定になるまで混合を継続して、粒状の糖蜜固形化肥料を製造する方法である。【選択図】図１
2014012639.tif 000002
【特許請求の範囲】
【請求項１】
消石灰１００質量部と、糖蜜又は廃糖蜜（固形分）１４０〜２５０質量部とを混合して得られる粒状の糖蜜固形化肥料。
【請求項２】
上記の糖蜜又は廃糖蜜量（固形分）が１６０〜２２０質量部である、請求項１記載の糖蜜固形化肥料。
【請求項３】
粒度分布において、１．０〜２０．０ｍｍの範囲に存在する粒子が全体の９０％以上である、請求項１又は２記載の糖蜜固形化肥料。
【請求項４】
消石灰１００質量部に、糖蜜又は廃糖蜜（固形分）１４０〜２５０質量部を加えて混合し、少なくとも、該混合物の粘度が略一定になるまで混合を継続して、粒状の糖蜜固形化肥料を製造する方法。
【請求項５】
上記の糖蜜又は廃糖蜜量が１６０〜２２０質量部である、請求項４記載の方法。
【請求項６】
上記の混合が、消石灰に糖蜜又は廃糖蜜を滴下添加することにより実行される、請求項４又は５記載の方法。
【請求項７】
上記の混合が、三次元方向の流動状態を与え得る混合装置により実行される、請求項４〜６のいずれか一つに記載の方法。
【請求項８】
得られた粒状の糖蜜固形化肥料の粒度分布において、１．０〜２０．０ｍｍの範囲に存在する粒子が全体の９０％以上である、請求項４〜７のいずれか一つに記載の方法。
【発明の詳細な説明】
【技術分野】
【０００１】
本発明は、糖蜜固形化肥料及びその製造方法に関し、更に詳しくは、糖蜜、又は、原料糖を製造する工程若しくは精製糖を製造する工程において発生する廃糖蜜を原料とする糖蜜固形化肥料及びその製造方法に関する。
【背景技術】
【０００２】
サトウキビから原料糖を製造する工程において、副産物としての廃糖蜜が、サトウキビ処理量のおよそ２〜３質量％発生する。例えば、某サトウキビ産地では、サトウキビの平年作約２０万トンに対して約６千トンの廃糖蜜が発生する。該廃糖蜜は、通常、その全量が飼料製造用として極めて安価に引き取られているのが現状である。しかし、飼料製造用として取引するためには、廃糖蜜を出荷するまで工場内に貯蔵しておくための貯槽が必要となり、十分な量の貯蔵を確保するためには、貯槽の設置及びその保守に費用が嵩む。一方、貯槽の数を制限すれば、廃糖蜜を出荷できないときには貯槽が満杯となり、工場の操業自体を停止せざるを得ないという事態を招くこともある。このような問題は、原料糖を製造する工程のみならず、精製糖を製造する工程においても同様に問題となっている。また、廃糖蜜をそのまま圃場、例えば、サトウキビ圃場に散布して肥料として使用することも考えられる。しかし、糖蜜は高粘性の液体であることから、散布に際して特殊な散布装置を備えたトラクター等を使用する必要があり、コスト高になると共に、糖蜜及びトラクターの取扱いが煩雑で多大な労力が必要であった。また、その肥効は、上記のような多大な労力を費やしてまで散布するほどのものではなかった。
【０００３】
上記の問題を解決するために、糖蜜又は廃糖蜜を固形化することが提案されている。例えば、糖蜜又は糖蜜から糖分を除去した液から固形物を製造する方法であって、糖蜜又は糖蜜から糖分を除去した液と、１５０ｇ／リットル以上の見掛け比重を有する二酸化ケイ素とを混合すること、当該混合物を乾燥して、上記固形物を得ることを含み、糖蜜又は糖蜜から糖分を除去した液の固形分重量と二酸化ケイ素の重量との比が５０：５０〜８０：２０であり、及び上記固形物の水分が１０重量％以下である方法が知られている（特許文献１）。該発明は、固形化するための賦形剤として所定の見掛け比重を有する二酸化ケイ素を使用する。そして、それにより、賦形剤として、米ぬか、パン粉及びデキストリンを使用した場合と比較して、糖蜜中の固形分及び有効成分量を高めようとするものである。また、該方法により得られた固形物を食品、飼料、肥料に応用しようとするものである。
【先行技術文献】
【特許文献】
【０００４】
【特許文献１】特開２０１１−２２９４８４号公報
【発明の概要】
【発明が解決しようとする課題】
【０００５】
本発明は、肥効に優れるばかりではなく、肥料としての取り扱いを著しく容易にし得るところの、消石灰と糖蜜又は廃糖蜜とから得られる粒状の糖蜜固形化肥料、及び、該粒状の糖蜜固形化肥料を製造する方法を提供するものである。また、本発明の糖蜜固形化肥料は、サトウキビから原料糖を製造する工程等において発生する副産物としての廃糖蜜を固形化して得られる故、原料糖を製造する工程等の操業中の廃糖蜜の貯蔵問題を効果的に解決し得る。
【課題を解決するための手段】
【０００６】
サトウキビから原料糖を製造する工程等において発生する副産物としての廃糖蜜を固形化できれば、操業中の廃糖蜜の貯蔵問題を解決できる。即ち、廃糖蜜を貯蔵するための貯槽を設置する必要がない。また、その固形化物をそのまま肥料として使用することができれば、廃糖蜜を液状で圃場に散布する場合に比べて、その散布作業等を著しく改善することができる。本発明者らは、かかる観点に立って鋭意検討を重ねた結果、糖蜜又は廃糖蜜を消石灰と所定量で混合すれば、その生成物を粒状化することができ、そして、得られた粒状化された固形化糖蜜は、サトウキビから原料糖を製造する工程等における操業中の廃棄処理に際して著しく取扱い易く、貯槽の設置の必要もなく、かつ、従来技術（特許文献１）の二酸化ケイ素を使用する方法と比較して、消石灰は入手し易く、安価であり、加えて、取扱いが容易であることを見出した。更には、このようにして得られた固形化糖蜜は、圃場への散布等の作業に際して著しく取扱い易く、かつ、各種植物の肥料として良好な効果があることをも見出し、本発明を完成するに至った。
【０００７】
即ち、本発明は、
（１）消石灰１００質量部と、糖蜜又は廃糖蜜（固形分）１４０〜２５０質量部とを混合して得られる粒状の糖蜜固形化肥料である。
【０００８】
好ましい態様として、
（２）上記の糖蜜又は廃糖蜜量が１５０〜２３０質量部である、上記（１）記載の糖蜜固形化肥料、
（３）上記の糖蜜又は廃糖蜜量が１６０〜２２０質量部である、上記（１）記載の糖蜜固形化肥料、
（４）粒度分布において、１．０〜２０．０ｍｍの範囲に存在する粒子が全体の９０％以上である、上記（１）又は（２）記載の糖蜜固形化肥料、
（５）粒度分布において、５．０〜１５．０ｍｍの範囲に存在する粒子が全体の９０％以上である、上記（１）又は（２）記載の糖蜜固形化肥料、
（６）粒度分布において、７．０〜１３．０ｍｍの範囲に存在する粒子が全体の９０％以上である、上記（１）又は（２）記載の糖蜜固形化肥料、
（７）糖蜜又は廃糖蜜が、サトウキビを原料とする原料糖製造工程から排出される廃糖蜜である、上記（１）〜（６）のいずれか一つに記載の糖蜜固形化肥料、
（８）糖蜜又は廃糖蜜のブリックス（Ｂｒｉｘ）値が７５〜８５％である、上記（１）〜（７）のいずれか一つに記載の糖蜜固形化肥料
を挙げることができる。
【０００９】
また、本発明者らは、上記の粒状の糖蜜固形化肥料を製造するに際して、消石灰に所定量の糖蜜又は廃糖蜜を加えて、そして、該混合物の粘度が略一定になるまで混合すれば、簡便に粒状の糖蜜固形化肥料を製造し得ることを見出した。好ましくは、消石灰に糖蜜又は廃糖蜜を滴下添加し、また、所定の装置を使用して実施すれば、更に簡便に糖蜜固形化肥料を製造し得ることを見出した。
【００１０】
本発明は、また、
（９）消石灰１００質量部に、糖蜜又は廃糖蜜（固形分）１４０〜２５０質量部を加えて混合し、少なくとも、該混合物の粘度が略一定になるまで混合を継続して、粒状の糖蜜固形化肥料を製造する方法ある。
【００１１】
好ましい態様として、
（１０）上記の糖蜜又は廃糖蜜量が１５０〜２３０質量部である、上記（９）記載の方法、
（１１）上記の糖蜜又は廃糖蜜量が１６０〜２２０質量部である、上記（９）記載の方法、
（１２）上記の混合が、消石灰に糖蜜又は廃糖蜜を滴下添加することにより実行される、上記（９）〜（１１）のいずれか一つに記載の方法、
（１３）上記の混合が、５〜１５分間実行される、上記（９）〜（１２）のいずれか一つに記載の方法、
（１４）上記の混合が、７〜１０分間実行される、上記（９）〜（１２）のいずれか一つに記載の方法、
（１５）上記の混合が、三次元方向の流動状態を与え得る混合装置により実行される、上記（９）〜（１４）のいずれか一つに記載の方法、
（１６）上記の混合が、横型ドラム中にすき状ショベルを配し、その形状、取付け角度、回転速度により遠心拡散及び渦流作用を起こさせ、三次元流動するような状態を与え得る装置により実行される、上記（９）〜（１４）のいずれか一つに記載の方法、
（１７）得られた粒状の糖蜜固形化肥料の粒度分布において、１．０〜２０．０ｍｍの範囲に存在する粒子が全体の９０％以上である、上記（９）〜（１６）のいずれか一つに記載の方法
を挙げることができる。
【発明の効果】
【００１２】
本発明によれば、原料糖製造工程及び精製糖製造工程において発生する廃糖蜜を、短時間及び簡便に固形化することができるので、副産物として発生する廃糖蜜の貯蔵問題を効果的に解決し得る。また、得られた糖蜜固形化肥料は粒状であることから、圃場への散布が著しく簡便かつ容易となり、例えば、特殊な散布装置を備えたトラクター等を使用する必要がなく、従って、肥料としての取り扱いが著しく容易となる。また、得られた糖蜜固形化肥料は、種々の植物、例えば、サトウキビに対する肥効に優れているものであることから、原料糖製造工程及び精製糖製造工程の立地周辺における種々の植物、例えば、サトウキビに対する肥料として有効に利用可能である。
【図面の簡単な説明】
【００１３】
【図１】図１は、本発明の粒状の糖蜜固形化肥料を示した図である。（実施例１）
【図２】図２は、粉状の固形化糖蜜を示した図である。（比較例１）
【図３】図３は、本発明の粒状の糖蜜固形化肥料の肥効を示す説明図である。（実施例８）
【発明を実施するための形態】
【００１４】
本発明の糖蜜固形化肥料は、消石灰（水酸化カルシウム）と糖蜜又は廃糖蜜とを混合して得られる生成物である。消石灰と糖蜜又は廃糖蜜との混合比率は、消石灰１００質量部に対して、糖蜜又は廃糖蜜中に含まれる固形分量として、糖蜜又は廃糖蜜の上限が２５０質量部であり、好ましくは２３０質量部であり、より好ましくは２２０質量部である。一方、下限が１４０質量部であり、好ましくは１５０質量部であり、より好ましくは１６０質量部である。上記上限を超えては、糖蜜又は廃糖蜜を十分に固形化することができずに粘土状となり易く、上記下限未満では、粉状となることがある。糖蜜固形化肥料が粉状であると、貯蔵中又は肥料として散布中に飛散することがあり、作業性に悪影響を及ぼすばかりではなく、飛散による損失量が大となることがある。一方、糖蜜固形化肥料が粒状であると、飛散を極力防止し得て作業性が著しく良好となり、損失量を極力低減することができるため好ましい。上記の糖蜜又は廃糖蜜の固形分量は、ブリックス（Ｂｒｉｘ）値に基づき、ブリックス（Ｂｒｉｘ）値が固形分量と等しいものとして算出したものである。使用する糖蜜又は廃糖蜜のブリックス（Ｂｒｉｘ）値は、好ましくは７５〜８５％、より好ましくは７８〜８３％、更に好ましくは８０〜８３％である。ここで、ブリックス（Ｂｒｉｘ）値は、糖度屈折計、例えば、京都電子工業株式会社製ブリックス計ＲＡ‐４１０（商標）を使用して、糖蜜及び廃糖蜜を５倍希釈して測定した値である。ここで、粒状の糖蜜固形化肥料の粒度分布は、好ましくは１．０〜２０．０ｍｍ、より好ましくは５．０〜１５．０ｍｍ、更に好ましくは７．０〜１３．０ｍｍの範囲に存在する粒子が、好ましくは、全体の９０質量％以上であり、より好ましくは、全体の９５％以上である。また、その平均粒径は、好ましくは１．０〜２０．０ｍｍ、より好ましくは５．０〜１５．０ｍｍ、更に好ましくは７．０〜１３．０ｍｍ程度である。また、廃糖蜜とは、原料糖製造工程及び精製糖製造工程において発生する副産物しての糖蜜を言う。原料糖製造工程には、サトウキビを原料とする場合のみならず、テンサイを原料とする場合も含む。
【００１５】
本発明の糖蜜固形化肥料は、消石灰（水酸化カルシウム）に、上記の糖蜜又は廃糖蜜を加えて混合し、少なくとも、混合物の粘度が略一定になるまで混合を継続することにより製造することができる。それにより、得られる糖蜜固形化肥料を粒状にすることができる。ここで、消石灰と糖蜜又は廃糖蜜との混合比率は、上記と同一である。本発明の方法における消石灰と糖蜜又は廃糖蜜との混合時間は、粘度によって決定することができ、該混合は、少なくとも、混合物の粘度が略一定になるまでの時間実施される。混合物の粘度は、主として消石灰と糖蜜又は廃糖蜜との配合量に依存するが、使用した混合装置により混合し得る粘度であれば特に問題はない。混合物の粘度は、消石灰に、糖蜜又は廃糖蜜を加えて混合を開始したときから、しばらくの時間は上昇し、その後、徐々に低下して略一定の値を示すようになる。該粘度の変化は任意の粘度計を混合装置に装備することにより測定することができ、また、混合装置の所要電流値を監視することにより便宜的に測定することもできる。混合物の粘度が略一定になるまでの時間、即ち、混合時間は、消石灰と糖蜜又は廃糖蜜との配合量、混合装置へのこれら原料の装入量、混合装置の種類、規模、形状等に依存する。該混合時間は、通常、５〜１５分間、より好ましくは７〜１０分間である。また、混合は、好ましくは１０〜４０℃で実施され、通常、環境温度で実施される。
【００１６】
消石灰に、糖蜜又は廃糖蜜を加えて混合するに際して、糖蜜又は廃糖蜜の全量を一度に添加して混合してもよいが、好ましくは、糖蜜又は廃糖蜜を何段階かに分けて添加して混合することが好ましい。また、消石灰に、糖蜜又は廃糖蜜を滴下して添加することがより好ましく、これにより糖蜜固形化肥料の粒状化をより効果的に成し遂げることができる。
【００１７】
消石灰と糖蜜又は廃糖蜜との混合に使用する混合装置としては、両者を三次元流動により良好に混合し得る混合装置、三次元方向の流動状態を与え得る混合装置であれば特に制限はない。粒状化のし易さ、所要時間等の観点から、横型ドラム中にすき状ショベルを配し、その形状、取付け角度、回転速度により遠心拡散及び渦流作用を起こさせ、三次元流動するような状態を与え得る装置、例えば、レーディゲミキサー（株式会社マツボー製）等が好ましく使用される。また、実験室的に実施するに際しては、例えば、フードプロセッサー［株式会社テスコム製フードプロセッサーＴＫ４１０（商標）等］等で代用することもできる。例えば、コンクリートミキサー、プラネタリーミキサー等の二次元流動の状態を与える装置を使用した際には、糖蜜固形化肥料を製造することはできるものの、大きな１つから数個の塊状物として得られ、粒状の糖蜜固形化肥料を製造することはできない。
【００１８】
以下の実施例において、本発明を更に詳細に説明するが、本発明はこれら実施例により限定されるものではない。
【実施例】
【００１９】
下記の実施例及び比較例において使用した物質及び装置は、下記の通りである。
【００２０】
廃糖蜜：南西糖業株式会社徳和瀬工場の、サトウキビを原料とする原料糖製造工程より排出された、ブリックス値の異なる４種類の原料糖最終糖蜜（ブリックス（Ｂｒｉｘ）値：８１％、８０％、７８％、７５％）
消石灰：株式会社丸京石灰製
【００２１】
混合装置：バッチ式レーディゲミキサーＭ−２０型、型式ＦＫＭ−１３０Ｄ（ドラム容量１３０リットル）（株式会社マツボー製）
【００２２】
（実施例１）
消石灰１０．０キログラム及び廃糖蜜２７．０キログラム（ブリックス値８０％）を使用した（消石灰１００質量部に対して廃糖蜜（固形分）２１６質量部である）。まず、消石灰の全量を、混合装置であるレーディゲミキサーのドラム中に仕込んだ。次いで、レーディゲミキサーを起動して撹拌混合を開始した。撹拌混合開始後、直ちに廃糖蜜をレーディゲミキサーのドラム中に滴下添加して、約３分間で廃糖蜜全量の添加を完了した。その後、更に、運転を継続して撹拌混合を実施した。この間、レーディゲミキサーの所要電流値を監視した。電流値は廃糖蜜の添加に伴って上昇し、添加終了後も、更に、電流値は上昇したが、その後、電流値は低下してほぼ一定となった。レーディゲミキサーの電流値がほぼ一定となったところで、レーディゲミキサーの運転を停止した。撹拌混合時間は、運転開始から合計約８分間であった。撹拌混合中のレーディゲミキサーのショベル回転数を１６０回転／分とし、チョッパー回転数を１，８００回転／分とした。また、撹拌混合中、内容物の温度上昇を防止するために空気送風を実施した。運転終了後、内容物を取り出したところ、図１に示すような粒状の造粒物、即ち、固形化糖蜜が得られた。該粒状の造粒物の粒度分布は、１．０〜２０．０ｍｍの範囲に存在するものが、全体の９０質量％以上であった。ここで、造粒物の粒度は、目開き１．０ｍｍ及び２０．０ｍｍの篩を用意し、それを使用して測定したものである。
【００２３】
（実施例２）
廃糖蜜２６．０キログラム（ブリックス値８０％）を使用したこと以外は、実施例１と同一に実施した（消石灰１００質量部に対して廃糖蜜（固形分）２０８質量部である）。運転終了後、内容物を取り出したところ、実施例１で得られた造粒物とほぼ同様の粒状の造粒物が得られた。
【００２４】
（実施例３）
廃糖蜜２０．０キログラム（ブリックス値８０％）を使用したこと以外は、実施例１と同一に実施した（消石灰１００質量部に対して廃糖蜜（固形分）１６０質量部である）。運転終了後、内容物を取り出したところ、実施例１で得られた造粒物とほぼ同様の粒状の造粒物が得られた。
【００２５】
（実施例４）
ブリックス値８１％の廃糖蜜２０．０キログラムを使用したこと以外は、実施例１と同一に実施した（消石灰１００質量部に対して廃糖蜜（固形分）１６２質量部である）。運転終了後、内容物を取り出したところ、実施例１で得られた造粒物とほぼ同様の粒状の造粒物が得られた。
【００２６】
（実施例５）
ブリックス値７８％の廃糖蜜２０．０キログラムを使用したこと以外は、実施例１と同一に実施した（消石灰１００質量部に対して廃糖蜜（固形分）１５６質量部である）。運転終了後、内容物を取り出したところ、実施例１で得られた造粒物とほぼ同様の粒状の造粒物が得られた。
【００２７】
（実施例６）
ブリックス値７５％の廃糖蜜２０．０キログラムを使用したこと以外は、実施例１と同一に実施した（消石灰１００質量部に対して廃糖蜜（固形分）１５０質量部である）。運転終了後、内容物を取り出したところ、実施例１で得られた造粒物とほぼ同様の粒状の造粒物が得られた。
【００２８】
（実施例７）
ブリックス値８１％の廃糖蜜３０．０キログラムを使用したこと以外は、実施例１と同一に実施した（消石灰１００質量部に対して廃糖蜜（固形分）２４３質量部である）。運転終了後、内容物を取り出したところ、実施例１で得られた造粒物とほぼ同様の粒状の造粒物が得られた。
【００２９】
（比較例１）
廃糖蜜１５．０キログラム（固形分８０質量％）を使用したこと以外は、実施例１と同一に実施した（消石灰１００質量部に対して廃糖蜜（固形分）１２０質量部である）。運転終了後、内容物を取り出したところ、図２に示すような粉状の造粒物が得られた。該粉状の造粒物の粒度は、９０質量％以上が１．０ｍｍ未満であった。
【００３０】
（比較例２）
廃糖蜜３５．０キログラム（固形分８０質量％）を使用したこと以外は、実施例１と同一に実施した（消石灰１００質量部に対して廃糖蜜（固形分）２８０質量部である）。運転終了後、内容物を取り出したところ、硬い粘土状物が得られ粒状化されていなかった。また、該粘土状物は、時間の経過と共に、更に硬化してコンクリート様の塊状物に変化した。
【００３１】
（比較例３）
ブリックス値８１％の廃糖蜜１０．０キログラムを使用したこと以外は、実施例１と同一に実施した（消石灰１００質量部に対して廃糖蜜（固形分）８１質量部である）。運転終了後、内容物を取り出したところ、比較例１とほぼ同様の粉状の造粒物が得られた。該粉状の造粒物の粒度は、９０質量％以上が１．０ｍｍ未満であった。
【００３２】
（比較例４）
混合装置として、バッチ式レーディゲミキサーに代えて、プラネタリーミキサー（株式会社井上製作所製ＰＬＭ−５０、タンク全容量５７リットル）を使用し、かつ、消石灰及び廃糖蜜の仕込量をいずれも半分にした以外は、実施例１と同様にして実施した。運転終了後、内容物を取り出したところ、大きな１つの塊状物が得られ粒状化されていなかった。
【００３３】
上記の実施例１〜７及び比較例１〜４の結果を下記の表１に示した。
【００３４】
【表１】
2014012639.tif 000003
表１中、＊印は、混合装置として、プラネタリーミキサーを使用したものである。
【００３５】
実施例１〜７は、本発明の範囲内で消石灰と廃糖蜜（固形分）との配合比を変化させたものである。いずれも、製造された固形化糖蜜は粒状の形態を示していた。一方、比較例１及び３は、いずれも廃糖蜜（固形分）の配合比を本発明の範囲未満にしたものである。製造された固形化糖蜜はいずれも粉状となった。比較例２は、廃糖蜜（固形分）の配合比を本発明の範囲を超えるものにしたものである。製造された固形化糖蜜は硬い粘土状のものとなった。また、比較例４は、混合装置として、三次元流動の状態を与えるバッチ式レーディゲミキサーに代えて、プラネタリーミキサーを使用したものである。このような二次元流動の状態を与える装置では、固形化糖蜜は粒状化せず、大きな塊状物として得られることが分かった。
【００３６】
（実施例８）
実施例１で得られた固形化糖蜜を肥料として使用して、クロタラリア（マメ科）の栽培試験を実施した。約５００ｍ２の圃場にクロタラリアの種子約１キログラムをほぼ均等に播種した。次いで、実施例１で得られた固形化糖蜜２００キログラムを該圃場にほぼ均等になるように散布した。一方、比較のため、同一の広さに同量のクロタラリアの種子を播種した圃場を準備し、こちらには実施例１で得られた造粒物及びその他の肥料を散布しなかった。これらの圃場は隣接しており、播種前のｐＨ値はいずれも４．６であった。クロタラリアの種子を撒いてから２５日後、４５日後、６０日後に両者の圃場におけるクロタラリアの成長度合いを目視により観察した。
【００３７】
クロタラリアの種子を撒いてから４５日後において、両者の圃場でのクロタラリアの成長に顕著な差が見られ始めた。６０日後には、両者の間でその成長に著しい相違が生じた。図３にその様子を示した。このように、実施例１で得られた固形化糖蜜は、非常に良好な肥効を有していることが分かった。
【符号の説明】
【００３８】
１  実施例１で得られた固形化糖蜜を肥料として使用した圃場
２  肥料を使用しなかった圃場
【産業上の利用可能性】
【００３９】
本発明の糖蜜固形化肥料は、種々の植物、例えば、サトウキビ栽培の肥料としての効果にも優れているばかりではなく、粒状であることから、圃場への散布が著しく簡便かつ容易である。このように、肥料として取り扱い易く、かつ、本発明の糖蜜固形化肥料及びその製造方法は、サトウキビ等から原料糖を製造する工程及び精製糖を製造する工程において、副産物として発生する廃糖蜜の貯蔵問題を有効に解決し得る。従って、原料糖及び精製糖製造工場において、とりわけ、原料、例えば、サトウキビの生産地に立地された原料糖製造工場において利用されることが、今後、大いに期待される。
【図１】
2014012639.tif 000004
【図２】
2014012639.tif 000005
【図３】
2014012639.tif 000006